【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
画面の領域を構成する複数のブロックのそれぞれについて、そのブロックが、入力画像における所定のオブジェクトを含む表示領域に対応する第１ブロック、前記第１ブロックに隣接する第２ブロック、及び、前記第１ブロック及び前記第２ブロックと異なる第３ブロックのいずれであるかを判定する判定手段と、
前記判定手段の判定結果に基づいて、前記複数のブロックにそれぞれ対応する複数の発光手段の発光輝度を制御する制御手段と、
を有し、
前記制御手段は、
前記第１ブロックに対応する第１の発光手段の発光輝度を、所定レベルである第１のレベルに制御し、
前記第３ブロックに対応する第３の発光手段の発光輝度を、前記第１のレベルよりも低い第２のレベルに制御し、
前記第２ブロックに対応する第２の発光手段の発光輝度を、前記第２のレベルよりも高く、且つ、前記第１のレベル以下である第３のレベルに制御する
ことを特徴とする表示装置。
【請求項２】
前記判定手段は、判定対象のブロックを中心とする所定範囲に前記第１ブロックが含まれない場合に、前記判定対象のブロックが前記第３ブロックであると判定する
ことを特徴とする請求項１に記載の表示装置。
【請求項３】
前記判定手段は、判定対象のブロックを中心とするＰ×Ｐ（Ｐは３以上の整数）個のブロックに前記第１ブロックが含まれない場合に、前記判定対象のブロックが前記第３ブロックであると判定する
ことを特徴とする請求項１または２に記載の表示装置。
【請求項４】
前記判定手段は、判定対象のブロックに対応する発光手段から発せられた光の、周囲のブロックへの影響度合いを示すテーブルを用いて、前記光の影響度合いが所定の閾値より大きいブロックに前記第１ブロックが含まれない場合に、前記判定対象のブロックが前記第３ブロックであると判定する
ことを特徴とする請求項１〜３のいずれか１項に記載の表示装置。
【請求項５】
前記所定のオブジェクトを含む前記表示領域における、前記複数の発光手段から発せられた光の明るさが略平坦となるように、前記入力画像に画像処理を施す画像処理手段をさらに有する
ことを特徴とする請求項１〜４のいずれか１項に記載の表示装置。
【請求項６】
前記判定手段は、ブロック毎に、そのブロックに表示される前記入力画像が所定値以下の画素値を有する画素を所定数以上含む場合に、該ブロックが前記第２ブロックまたは前記第３ブロックであると判定する
ことを特徴とする請求項１〜５のいずれか１項に記載の表示装置。
【請求項７】
前記判定手段は、外部機器から入力される、前記所定のオブジェクトを含む前記表示領域を表す情報に基づいて、前記所定のオブジェクトを含む前記表示領域の画像が表示されないブロックが前記第２ブロックであると判定する
ことを特徴とする請求項１〜５のいずれか１項に記載の表示装置。
【請求項８】
前記制御手段は、前記第２ブロックに対応する前記第２の発光手段の発光輝度を、当該第２ブロックを中心とする所定個数のブロックのうちの前記第１ブロックに表示される前記所定のオブジェクトを含む前記表示領域のサイズが小さい場合に、当該サイズが大きい場合よりも低いレベルに制御する
ことを特徴とする請求項１〜７のいずれか１項に記載の表示装置。
【請求項９】
前記制御手段は、前記第２の発光手段の発光輝度を、前記第１の発光手段の発光輝度と等しいレベルに制御する
ことを特徴とする請求項１〜７のいずれか１項に記載の表示装置。
【請求項１０】
前記所定のオブジェクトを含む前記表示領域は、診断画像の表示領域である
ことを特徴とする請求項１〜９のいずれか１項に記載の表示装置。
【請求項１１】
画面の領域を構成する複数のブロックのそれぞれについて、そのブロックが、入力画像における所定のオブジェクトを含む表示領域に対応する第１ブロック、前記第１ブロックに隣接する第２ブロック、及び、前記第１ブロック及び前記第２ブロックと異なる第３ブロックのいずれであるかを判定する判定ステップと、
前記判定ステップの判定結果に基づいて、前記複数のブロックにそれぞれ対応する複数の発光手段の発光輝度を制御する制御ステップと、
を有し、
前記制御ステップでは、
前記第１ブロックに対応する第１の発光手段の発光輝度が、所定レベルである第１のレベルに制御され、
前記第３ブロックに対応する第３の発光手段の発光輝度が、前記第１のレベルよりも低い第２のレベルに制御され、
前記第２ブロックに対応する第２の発光手段の発光輝度が、前記第２のレベルよりも高く、且つ、前記第１のレベル以下である第３のレベルに制御される
ことを特徴とする表示装置の制御方法。
【請求項１２】
前記判定ステップでは、判定対象のブロックを中心とする所定範囲に前記第１ブロックが含まれない場合に、前記判定対象のブロックが前記第３ブロックであると判定される
ことを特徴とする請求項１１に記載の表示装置の制御方法。
【請求項１３】
前記判定ステップでは、判定対象のブロックを中心とするＰ×Ｐ（Ｐは３以上の整数）個のブロックに前記第１ブロックが含まれない場合に、前記判定対象のブロックが前記第３ブロックであると判定される
ことを特徴とする請求項１１または１２に記載の表示装置の制御方法。
【請求項１４】
前記判定ステップでは、判定対象のブロックに対応する発光手段から発せられた光の、周囲のブロックへの影響度合いを示すテーブルを用いて、前記光の影響度合いが所定の閾値より大きいブロックに前記第１ブロックが含まれない場合に、前記判定対象のブロックが前記第３ブロックであると判定される
ことを特徴とする請求項１１〜１３のいずれか１項に記載の表示装置の制御方法。
【請求項１５】
前記所定のオブジェクトを含む前記表示領域における、前記複数の発光手段から発せられた光の明るさが略平坦となるように、前記入力画像に画像処理を施す画像処理ステップをさらに有する
ことを特徴とする請求項１１〜１４のいずれか１項に記載の表示装置の制御方法。
【請求項１６】
前記判定ステップでは、ブロック毎に、そのブロックに表示される前記入力画像が所定値以下の画素値を有する画素を所定数以上含む場合に、該ブロックが前記第２ブロックまたは前記第３ブロックであると判定される
ことを特徴とする請求項１１〜１５のいずれか１項に記載の表示装置の制御方法。
【請求項１７】
前記判定ステップでは、外部機器から入力される、前記所定のオブジェクトを含む前記表示領域を表す情報に基づいて、前記所定のオブジェクトを含む前記表示領域の画像が表示されないブロックが前記第２ブロックであると判定される
ことを特徴とする請求項１１〜１５のいずれか１項に記載の表示装置の制御方法。
【請求項１８】
前記制御ステップでは、前記第２ブロックに対応する前記第２の発光手段の発光輝度が、当該第２ブロックを中心とする所定個数のブロックのうちの前記第１ブロックに表示される前記所定のオブジェクトを含む前記表示領域のサイズが小さい場合に、当該サイズが大きい場合よりも低いレベルに制御される
ことを特徴とする請求項１１〜１７のいずれか１項に記載の表示装置の制御方法。
【請求項１９】
前記制御ステップでは、前記第２の発光手段の発光輝度が、前記第１の発光手段の発光輝度と等しいレベルに制御される
ことを特徴とする請求項１１〜１７のいずれか１項に記載の表示装置の制御方法。
【請求項２０】
前記所定のオブジェクトを含む前記表示領域は、診断画像の表示領域である
ことを特徴とする請求項１１〜１９のいずれか１項に記載の表示装置の制御方法。
【手続補正２】
【補正対象書類名】明細書
【補正対象項目名】０００６
【補正方法】変更
【補正の内容】
【０００６】
本発明の表示装置は、
画面の領域を構成する複数のブロックのそれぞれについて、そのブロックが、入力画像における所定のオブジェクトを含む表示領域に対応する第１ブロック、前記第１ブロックに隣接する第２ブロック、及び、前記第１ブロック及び前記第２ブロックと異なる第３ブロックのいずれであるかを判定する判定手段と、
前記判定手段の判定結果に基づいて、前記複数のブロックにそれぞれ対応する複数の発
光手段の発光輝度を制御する制御手段と、
を有し、
前記制御手段は、
前記第１ブロックに対応する第１の発光手段の発光輝度を、所定レベルである第１のレベルに制御し、
前記第３ブロックに対応する第３の発光手段の発光輝度を、前記第１のレベルよりも低い第２のレベルに制御し、
前記第２ブロックに対応する第２の発光手段の発光輝度を、前記第２のレベルよりも高く、且つ、前記第１のレベル以下である第３のレベルに制御する
ことを特徴とする。
【手続補正３】
【補正対象書類名】明細書
【補正対象項目名】０００７
【補正方法】変更
【補正の内容】
【０００７】
本発明の表示装置の制御方法は、
画面の領域を構成する複数のブロックのそれぞれについて、そのブロックが、入力画像における所定のオブジェクトを含む表示領域に対応する第１ブロック、前記第１ブロックに隣接する第２ブロック、及び、前記第１ブロック及び前記第２ブロックと異なる第３ブロックのいずれであるかを判定する判定ステップと、
前記判定ステップの判定結果に基づいて、前記複数のブロックにそれぞれ対応する複数の発光手段の発光輝度を制御する制御ステップと、
を有し、
前記制御ステップでは、
前記第１ブロックに対応する第１の発光手段の発光輝度が、所定レベルである第１のレベルに制御され、
前記第３ブロックに対応する第３の発光手段の発光輝度が、前記第１のレベルよりも低い第２のレベルに制御され、
前記第２ブロックに対応する第２の発光手段の発光輝度が、前記第２のレベルよりも高く、且つ、前記第１のレベル以下である第３のレベルに制御される
ことを特徴とする。